(57)【要約】【課題】  逆リンクの付加チャネルのスケジュールのための方法及び装置。【解決手段】  逆リンクの送信のスケジューリング情報の通信のための装置及び方法が明らかにされる。基地局コントローラは、通信システム（１００）の移動局のための逆リンクの付加チャネルの送信のスケジューリングを決定する。基地局コントローラは、移動局を移動局のグループに分類し、移動局のそのグループに順リンクのチャネルの割当チャネルを割り当てる。送受信機（４００）は、決定されたスケジューリングに関する情報を割り当てられた順リンクの共通割当チャネルに取り入れ、逆リンクの付加チャネルの送信をスケジュールするために移動局に割り当てられた順リンクの共通割当チャネルを送信する。移動局は割り当てられた順リンクの共通割当チャネルを受信する。移動局は決定されたスケジューリングに従って逆リンクの付加チャネルの送信の送信をスケジュールし、決定されたスケジューリングに従って逆リンクの付加チャネルを送信する。
2005512370.tif 000002
【特許請求の範囲】
【請求項１】
通信システムにおける逆リンクの付加チャネルのスケジューリング情報を送信するための方法であり、以下を具備する：
前記通信システムの複数の移動局を移動局の複数のグループに分類する；
前記移動局の複数のグループに対応する数の順リンクのチャネルの割当チャネルを割り当てる；
前記対応する数の順リンクのチャネルの割当チャネル上に前記逆リンクの付加チャネルのスケジューリング情報を送信する。
【請求項２】
通信システムにおける逆リンクの付加チャネルのスケジューリング情報を送信するための装置であり、以下を具備する：
前記通信システムの複数の移動局を移動局の複数のグループに分類し、
そして前記移動局の複数のグループに対応する数の順リンクのチャネルの割当チャネルを割り当てるための基地局コントローラ；
前記対応する数の順リンクのチャネルの割当チャネル上に前記逆リンクの付加チャネルのスケジューリング情報を送信するための送信機。
【請求項３】
逆リンクの送信のスケジューリング情報を通信するための方法であって、以下を具備する：
通信システムの移動局に対して逆リンクの付加チャネルの送信のスケジューリングを決定する；
前記通信システムにおいて前記移動局を移動局のグループに分類する；
前記移動局のグループに順リンクのチャネルの割当チャネルを割り当てる；
前記割り当てられた順リンクの共通割当チャネルに前記決定されたスケジューリングに関連した情報を組み入れる；
前記逆リンクの付加チャネルの送信をスケジュールするために前記移動局に前記割り当てられた順リンクの共通割当チャネルを送信する。
【請求項４】
請求項３に記載の方法であって、以下を更に具備する：
前記移動局で前記割り当てられた順リンクの共通割当チャネルを受信する；
前記決定されたスケジューリングに従って前記移動局からの前記逆リンクの付加チャネルの送信の送信をスケジュールする。
【請求項５】
請求項４に記載の方法であって、以下を更に具備する：
前記決定されたスケジューリングに従って前記逆リンクの付加チャネルを送信する。
【請求項６】
逆リンクの送信のスケジューリング情報を通信するための装置であって、以下を具備する：
通信システムの移動局に対して逆リンクの付加チャネルの送信のスケジューリングを決定し、前記通信システムにおいて前記移動局を移動局のグループに分類し、そして
前記移動局のグループに順リンクのチャネルの割当チャネルを割り当てるための基地局コントローラ；
前記割り当てられた順リンクの共通割当チャネルに前記決定されたスケジューリングに関連した情報を組み入れ、そして前記逆リンクの付加チャネルの送信をスケジュールするために前記移動局に前記割り当てられた順リンクの共通割当チャネルを送信するための送信機。
【請求項７】
請求項６に記載の装置であって、以下を更に具備する：
前記移動局で前記割り当てられた順リンクの共通割当チャネルを受信するための前記移動局の受信機；
前記決定されたスケジューリングに従って前記移動局からの前記逆リンクの付加チャネルの送信の送信をスケジュールするための前記移動局のコントローラ。
【請求項８】
請求項７に記載の装置であって、以下を更に具備する：
前記決定されたスケジューリングに従って前記逆リンクの付加チャネルを送信するための前記移動局の送信機。
【請求項９】
送信スケジューリング情報に従った逆リンクの付加チャネルの送信のための方法であって、以下を具備する：
通信システムの移動局のグループへの移動局の分類を確認する；
前記移動局のグループへ割り当てられた順リンクのチャネルの割当チャネルを確認する；
前記移動局で前記割り当てられた順リンクの共通割当チャネルを受信する；
前記受信に基づいて前記通信システムの前記移動局のために前記逆リンクの付加チャネルの送信のスケジューリングを決定する。
【請求項１０】
請求項９に記載の方法であって、以下を更に具備する：
前記決定されたスケジューリングに従って前記移動局からの前記逆リンクの付加チャネルの送信の送信をスケジュールする；
前記決定されたスケジューリングに従って前記逆リンクの付加チャネルを送信する。
【請求項１１】
送信スケジューリング情報に従った逆リンクの付加チャネルの送信のための装置であって、以下を具備する：
通信システムの移動局のグループへの移動局の分類を確認し、前記移動局のグループへ割り当てられた順リンクのチャネルの割当チャネルを確認するためのコントローラ；
前記移動局で前記割り当てられた順リンクの共通割当チャネルを受信するための受信機；
前記コントローラは更に前記受信に基づいて前記通信システムの前記移動局のために前記逆リンクの付加チャネルの送信のスケジューリングを決定するためである。
【請求項１２】
請求項１１に記載の装置であって、以下を更に具備する：
前記コントローラは更に前記決定されたスケジューリングに従って前記移動局からの前記逆リンクの付加チャネルの送信の送信をスケジュールするためである；
前記決定されたスケジューリングに従って前記逆リンクの付加チャネルを送信するための送信機。
【発明の詳細な説明】
【クロスリファレンス】
【０００１】
本出願は、２００１年１２月４日に出願され“ＣＤＭＡ通信システムにおいてスケジューリングのために順方向共通割当チャネルを用いるための方法及び装置（Ｍｅｔｈｏｄ  ａｎｄ  Ａｐｐａｒａｔｕｓ  ｆｏｒ  Ｕｓｉｎｇ  Ｆｏｒｗａｒｄ  Ｃｏｍｍｏｎ  Ａｓｓｉｇｎｍｅｎｔ  Ｃｈａｎｎｅｌ  ｆｏｒ  Ｓｃｈｅｄｕｌｉｎｇ  ｉｎ  ａ  ＣＤＭＡ  Ｃｏｍｍｕｎｉｃａｔｉｏｎ  Ｓｙｓｔｅｍ）”と題された米国仮出願番号第６０／３３６,７５６号に基づいて優先権を主張する。
【技術分野】
【０００２】
本発明は一般に通信の分野に関する。さらに詳細には、通信システムにおけるデータ通信に関する。
【背景技術】
【０００３】
通信システムでは、符号分割多元接続通信システムにおける複数の移動局への順（ｆｏｒｗａｒｄ）リンクの送信において、基地局は時分割接続を用いてよい。各移動局は順リンクのチャネル状態に基づいて時間スロットの間に送信を受信するようにスケジュールされる。順及び逆（ｒｅｖｅｒｓｅ）リンクのチャネルの状態は移動局の移動性を含む多くの異なる要因によって時々変化してよい。結果として、基地局と移動局の間のチャネル状態も変化しており、移動局に対する他よりさらに好ましいチャネル状態を生み出している。基地局は移動局の逆リンクの送信をスケジュールする。順リンクでは、移動局が逆リンクの付加（ｓｕｐｐｌｅｍｅｎｔａｌ）チャネルのような逆リンクのチャネルで送信することが期待されるときに基地局は移動局に知らせる必要がある。逆リンクのスケジューリングは、同時に逆リンク上を送信してよい移動局の数を含む多くの要因に基づいている。移動局に対して逆リンクの送信のスケジューリングを決定することと、順リンクにおいて移動局に知らせることとの間の時間は可能な限り短いことが望まれる。逆リンクのチャネル状態は、例えば、送信がスケジュールされているが非常に素早く知らされてはいない移動局に対して変化してよい。スケジューリングの情報が移動局によって受信されたとき、移動局にとっての逆リンクの送信のチャネル状態は悪化させられているかもしれない、従って通信資源の非効率な使用を導く。逆リンクのスケジューリング情報は、しかしながら、順リンクで送信される。移動局への順リンクにおける送信は、移動局と共にある順リンクのチャネル状態に基づいている。移動局は良い順リンクのチャネル状態を持たないかもしれない；結果として、移動局はしばらく順リンクでの送信を受信しないかもしれない。それゆえ、通信システムにおけるデータの通信をスケジュールするための方法及び装置に対する需要がある。
【発明の開示】
【０００４】
[サマリー]  時宜を得たやりかたでの逆リンクの送信のスケジューリング情報の通信に対する装置及び方法が開示される。基地局コントローラは、通信システムの移動局のために逆リンクの付加チャネルの送信のスケジューリングを決定する。基地局コントローラは、通信システムにおける移動局のグループにおいて移動局を集める。基地局コントローラは、移動局のグループに対して順リンクのチャネルの割当（ａｓｓｉｇｎｍｅｎｔ）チャネルを割り当てる。送信機は割り当てられた順リンクの共通割当チャネルにおいて決定されたスケジューリングに関連する情報を取り入れる。送信機は、逆リンクの付加チャネルの送信のスケジューリングのために移動局に対して割り当てられた順リンクの共通割当チャネルを送信する。移動局の受信機は、割り当てられた順リンクの共通割当チャネルを受信する。移動局のコントローラは、決定されたスケジューリングに従うように移動局からの逆リンクの付加チャネルの送信の送信をスケジュールする。移動局の送信機は、決定されたスケジューリングに従うように逆リンクの付加チャネルを送信する。
【０００５】
[好ましい実施形態の詳細な説明]
本発明の特徴、目的及び利点は、同様な参照文字はそれに応じて通して一致している図と共に捉えたときに、以下で明らかにされる詳細な説明からより明らかになるであろう。
【０００６】
一般的に言って、新規で改善された方法及び装置は、通信システムの逆リンクの付加チャネルのスケジューリング情報の通信に対して備える。ここで述べられる１つ又はそれ以上の例示的な実施形態はディジタル無線データ通信システムを背景にして明らかにされる。この背景での使用は有利であるが、本発明の異なる実施形態は異なる環境または構成において取り入れられてもよい。一般に、ここで記載されるさまざまなシステムは、ソフトウェアで制御されたプロセッサ、集積回路、またはディスクリート（ｄｉｓｃｒｅｔｅ）ロジックを用いて形成されてよい。本願を通して参照され得るデータ、命令、コマンド、情報、信号、シンボル、そしてチップは電圧、電流、電磁波、磁場又は磁性粒子、光学場又は光学粒子、またはその組合せによって有利に表現される。さらに、それぞれのブロック図で示されるブロックはハードウェアまたは方法のステップを表現してよい。
【０００７】
より詳細には、本発明のさまざまな実施形態は、通信機械工業会（Ｔｅｌｅｃｏｍｍｕｎｉｃａｔｉｏｎ  Ｉｎｄｕｓｔｒｙ  Ａｓｓｏｃｉａｔｉｏｎ）（ＴＩＡ）及び他の標準化組織によって発行されたさまざまな標準仕様（ｓｔａｎｄａｒｄｓ）に開示され記載されている符号分割多元接続（ＣＤＭＡ）技術に従って動作する無線通信システムに取り込まれてよい。そのような標準仕様は、ＴＩＡ／ＥＩＡ−９５標準仕様、ＴＩＡ／ＥＩＡ−ＩＳ−２０００標準仕様、ＩＭＴ−２０００標準仕様、ＵＭＴＳ及びＷＣＤＭＡ標準仕様、ここで参照により取り入れられた全てを含む。データ通信に対するシステムはまた、ここで参照として取り入れられる“ＴＩＡ／ＥＩＡ／ＩＳ−８５６ｃｄｍａ２０００  高速パケットデータエアインターフェース仕様（ＴＩＡ／ＥＩＡ／ＩＳ−８５６ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ）”で詳述される。その標準仕様の写しは、アメリカ合衆国、ＶＡ２２２０１、アーリントン、２５００ウィルソンブルバード、ＴＩＡ、標準および技術部（ＴＩＡ，Ｓｔａｎｄａｒｄｓ  ａｎｄ  Ｔｅｃｈｎｏｌｏｇｙ  Ｄｅｐａｒｔｍｅｎｔ、２５００  Ｗｉｌｓｏｎ  Ｂｏｕｌｅｖａｒｄ、Ａｒｌｉｎｇｔｏｎ，ＶＡ２２２０１，Ｕｎｉｔｅｄ  Ｓｔａｔｅｓ  ｏｆ  Ａｍｅｒｉｃａ）に手紙を書くことによって得られるだろう。一般にＵＭＴＳ標準仕様とみなされる標準仕様は、ここで参照により取り入れられるが、ヴァルボンヌフランス、６５０ルート・デ・ルチオレ−ソフィア  アンティポリ、３ＧＰＰサポートオフィス（３ＧＰＰ  Ｓｕｐｐｏｒｔ  Ｏｆｆｉｃｅ，６５０  Ｒｏｕｔｅ  ｄｅｓ  Ｌｕｃｉｏｌｅｓ−Ｓｏｐｈｉａ  Ａｎｔｉｐｏｌｉｓ，Ｖａｌｂｏｎｎｅ−Ｆｒａｎｃｅ）に接触することにより得られるだろう。
【０００８】
図１は、本発明のさまざまな実施形態を取り入れながら、どの符号分割多元接続（ＣＤＭＡ）通信システムの標準仕様にも従って動作することが可能な通信システム１００の一般的なブロック図を示す。通信システム１００は、音声、データ又は両方の通信に対するものであってよい。一般に通信システム１００は、移動局１０２−１０４のような複数の移動局の間、及び移動局１０２−１０４と公衆交換電話とデータネットワーク１０５の間の通信リンクを提供する基地局１０１を含む。本発明の主要な範囲及び多様な利点から逸脱せずに、図１の移動局はデータアクセス端末（ＡＴ）と呼んでよいし、基地局はデータアクセス網（ＡＮ）と呼んでよい。基地局１０１は、基地局コントローラや基地局送受信システムのような複数の要素を含んでよい。簡潔さのため、そのような要素は示されない。基地局１０１は、他の基地局、例えば基地局１６０、と通信しているかもしれない。移動交換センタ（図示せず）は通信システム１００の様々な動作態様を制御してよい、そしてネットワーク１０５と基地局１０１及び１６０の間の逆送（ｂａｃｋｈａｕｌ）１９９に関して。
【０００９】
基地局１０１は、基地局１０１から送信される順リンクの信号を介して、そのカバーエリア（ｃｏｖｅｒａｇｅ  ａｒｅａ）内の各移動局と通信する。移動局１０２−１０４を目標とした順リンク信号は順リンク信号１０６を形成するためにまとめられてよい。順リンク信号１０６を受信する移動局１０２−１０４のそれぞれは順リンク信号１０６を復号し、そのユーザを目標とした情報を抜き出す。基地局１６０はまた、基地局１６０から送信される順リンクの信号を介して、そのカバーエリア内の移動局と通信してよい。基地局から送信される順リンク信号は時分割多元接続技術に従って適合されてよい。そのようにして、移動局は基地局からの通信を受信するために時間スロットが割り当てられてよい。移動局は、どのデータがそのユーザに対して通信されているのかを見出すために受信した順リンクを復号してよい。移動局１０２−１０４は基地局１０１及び１６０と対応する逆リンクを介して通信する。各逆リンクは、移動局１０２−１０４それぞれに対する逆リンク信号１０７−１０９のような逆リンク信号によって維持される。逆リンク信号１０７−１０９は、１つの基地局を目標としているかもしれないが、他の基地局に受信されてもよい。
【００１０】
基地局１０１及び１６０は共通の移動局と同時に通信してもよい。例えば、移動局１０２は、基地局１０１及び１６０の両方との通信を維持することができる基地局１０１及び１６０の近傍にあってよい。順リンクでは、基地局１０１は順リンク信号１０６で送信し、基地局１６０は順リンク信号１６１で送信する。逆リンクでは、移動局１０２は基地局１０１及び１６０の両方に受信されるために逆リンク１０７で送信する。データのパケットを移動局１０２に送信するために、基地局１０１及び１６０の１つが移動局１０２にデータのパケットを送信するために選択されてよい。逆リンクでは、基地局１０１及び１６０の両方は移動局１０２からのトラヒックデータの送信の復号を試みてよい。逆及び順リンクのデータ速度と電力レベルは、基地局と移動局の間のチャネル状態に従って維持されてよい。
【００１１】
順リンクでの送信は時分割接続の方法に従ってもよい。カバーエリア内の移動局はそれぞれの基地局とチャネル状態についてのチャネル品質インジケータ（ＣＧＩ）情報を絶えず通信する。移動局は順リンクで情報を送信するために、基地局の１つを選択する。その選択は、基地局とのチャネル状態の品質に基づいてよい。基地局は複数の移動局によって選択されてもよい。順リンクでは、基地局は順リンクの送信をスケジュールするためのスケジューリングアルゴリズムの使用を試みてもよい。例えば、低電力レベルでの低いデータ速度の送信を必要とする移動局は、高いデータ速度と高い電力レベルの送信を必要とする移動局より先に扱われてもよい。それにもかかわらず、全ての移動局は公平を基本として扱われるよう試みられる。本発明の多様な態様に従って、順リンクの共通割当チャネル（Ｆ−ＣＡＣＨ）は、逆リンクの付加チャネルの送信のスケジューリングについて移動局に知らせるために使用されてよい。Ｆ−ＣＡＣＨは、本発明の多様な態様に従って移動局のグループに対して一度に割り当てられてよい。Ｆ−ＣＡＣＨは、もっぱら常に他の順リンクのデータチャネルより低いデータ速度である。結果として、逆リンクのスケジューリングについて移動局に知らせることの遅れは最小レベルに維持される。
【００１２】
順リンクは複数のチャネルを含んでよい。順リンクのパケットデータチャネル（Ｆ−ＰＤＣＨ）は、データ及びシグナリングデータを移動局に送信するために用いられてよい。Ｆ−ＰＤＣＨは、最小３８４ビットから最大３８４０ビットまでの１．２５ｍＳｅｃの時間スロットで送信されてよい。３８４ビット以下が送信されるときは、時間スロットは空のデータビットで穴埋めされる。Ｆ−ＰＤＣＨはまた順リンクのパケットデータ制御チャネル（Ｆ−ＰＤＣＣＨ）と同時に送信される。Ｆ−ＰＤＣＣＨは制御チャネルで、１．２５ｍＳｅｃの時間スロットで送信され、そして２１のデータビットを含む。Ｆ−ＰＤＣＣＨのデータ速度はＦ−ＰＤＣＨの最小のデータ速度よりかなり低い。順リンクはまた、移動局の逆リンク電力レベルを制御する順方向の共通電力制御チャネル（Ｆ−ＣＰＣＣＨ）をもつ。逆リンクは、データとシグナリング情報の送信に用いられる個別（ｄｅｄｉｃａｔｅｄ）制御チャネル（Ｒ−ＤＣＣＨ）をもつ。逆リンクのＣＱＩチャネル（Ｒ−ＣＱＩＣＨ）はまた、選択された基地局に順リンクのチャネル状態を示すために移動局によって使用される。逆リンクの受取通知（ａｃｋｎｏｗｌｅｄｇｍｅｎｔ）チャネル（Ｒ−ＡＣＫＣＨ）は、移動局によって順リンクでのデータパケットの適切な受信を知らせるために使用される。Ｆ−ＰＤＣＨとＦ−ＰＤＣＣＨは同時に送信される。例えば、順リンクで、ＭＳ１０３は時間スロット１５０、１５２及び１５４の間に、ＭＳ１０２は時間スロット１５１の間に、ＭＳ１０４は時間スロット１５３の間にデータを受信するようにスケジュールされてよい。
【００１３】
逆リンクでは、付加チャネル（Ｒ−ＳＣＨ）はまた、基地局にデータを送信する全ての移動局によって使用されてよい。Ｒ−ＳＣＨは全ての移動局の間で共有されてよい、従って各移動局はＲ−ＳＣＨの特定の時間スロットの間に送信してよい。基地局は、本発明の多様な態様に従ってどの移動局がどの時間スロットでＲ−ＳＣＨを使用することが許されているかを知らせるためにＦ−ＣＡＣＨの上にスケジューリング情報を送信する。その上、通信システム１００は複数の逆リンクの付加チャネルを考慮してもよい。移動局は、時間フレームの単位で測られた時間期間の間独占的に付加チャネルを使用するように割り当てられてよい。１つの時間フレームは２０Ｍｓｅｃの長さ或いは１６の時間スロットに等しくてよい。Ｒ−ＳＣＨでの送信のための状態は非常に素早く変化してよい。ひとたび基地局がＲ−ＳＣＨで送信するのを移動局に許すことを決定すると、スケジューリング情報は順リンクの上を移動局へ向けて非常に素早く送られる。本発明の多様な態様に従って、Ｆ−ＣＡＣＨはＲ−ＳＣＨをスケジュールするために使用されてよい。
【００１４】
図２は、受信したＣＤＭＡ信号を処理し復調するために使用される受信機２００のブロック図を示す。受信機２００は逆及び順リンク信号上の情報の復号のために使用されてよい。受信された（Ｒｘ）サンプルはＲＡＭ２０４に記憶されてよい。受信サンプルは無線周波数／中間周波数（ＲＦ／ＩＦ）システム２９０及びアンテナシステム２９２によって生成される。ＲＦ／ＩＦシステム２９０及びアンテナシステム２９２は、複数の信号の受信と受信ダイバーシチの利得を利用するための受信信号のＲＦ／ＩＦ処理のために１つ又はそれ以上の要素を含んでよい。異なる伝播経路を通って伝播した複数の受信信号は共通の出所からのものかもしれない。アンテナシステム２９２はＲＦ信号を受信し、ＲＦ信号をＲＦ／ＩＦシステム２９０に渡す。ＲＦ／ＩＦシステム２９０はどんな通常のＲＦ／ＩＦ受信機でもよい。受信されたＲＦ信号は濾波され、低周波数に変換されそしてベースバンド周波数でのＲＸサンプルを形成するようにディジタル化される。サンプルはデマルチプレクサ（ｄｅｍｕｌｔｉｐｌｅｘｅｒ）（ｄｅｍｕｘ）２０２に供給される。ｄｅｍｕｘ２０２の出力はサーチャーユニット２０６及びフィンガ要素２０８に供給される。制御ユニット２１０はそれに接続している。結合器２１２は復号器２１４をフィンガ要素２０８に繋ぐ。制御ユニット２１０はソフトウェアで制御されるマイクロプロセッサでもよい、また同じ集積回路上に位置していてもよいし或いは別の集積回路上に位置していてもよい。復号器２１４の復号機能はターボ復号器に従っていてもよいし、或いは他の任意の適当な復号アルゴリズムに従っていてもよい。
【００１５】
動作中に、受信されたサンプルはｄｅｍｕｘ２０２に供給される。Ｄｅｍｕｘ２０２はサンプルをサーチャーユニット２０６及びフィンガ要素２０８に供給する。制御ユニット２１０は、復調と、サーチャーユニット２０６からのサーチ結果に基づいた異なる時間オフセットで受信した信号を逆拡散することを実行するためにフィンガ要素２０８を構成する。復調結果は結合されて復号器２１４に渡される。復号器２１４はデータを復号し、復号されたデータを出力する。チャネルの逆拡散は受信サンプルにＰＮ系列の複素共役と割り当てられたウォルシュ（Ｗａｌｓｈ）関数を単一タイミングの仮説に基づいて乗ずること及び結果となるサンプルをディジタルフィルタリングすることによって、積分しては結果を吐き出す累算回路（図示せず）としばしば共に、実行される。そのような技術は本技術分野で一般に知られている。受信機２００は、移動局から受信された逆リンクの信号を処理するために基地局１０１及び１６０の受信部で使用されてよい、そして受信された順リンクの信号を処理するために移動局のいずれの受信部で使用されてよい。
【００１６】
各基地局のチャネル品質は各基地局から受信した信号のキャリア対干渉比（Ｃ／Ｉ）に基づいてよい。各基地局から送信されたパイロット信号はチャネルのＣ／Ｉを決定するために用いられてよい。制御システム２１０と接続したサーチャー２０６は複数の基地局のチャネル状態を序列付けしてよい。良いチャネル状態の複数の基地局が基地局のアクティブセット（ａｃｔｉｖｅ  ｓｅｔ）を形成するために選択されてよい。基地局のアクティブセットは許容レベルで移動局と通信することが可能である。移動局はアクティブセットの基地局の１つをデータを送信する最良の候補として選択してよい。その選択はＲ−ＣＱＩＣＨ上で基地局に伝えられる。逆送１９９を介して基地局コントローラは、順リンクでの移動局への送信のために選択された基地局へデータを向かわせる。選択された基地局はそれから移動局への送信をスケジュールする。複数の移動局は同じ基地局を選択してよいので、基地局は、順リンクのチャネル状態の品質、送信されるデータの量、送信のデータ速度及び電力レベルのような複数の要因に基づいて各移動局をスケジュールするよう試みる。例えば、もし移動局が低いレベルのチャネル品質を報告して大量のデータの送信を求めるなら、その移動局は、少量のデータの送信を求めて高いレベルのチャネル品質を報告した別の移動局の後にスケジュールされる。Ｆ−ＣＡＣＨは通常低いデータ速度で通信するので、本発明の多様な様態に従って、Ｆ−ＣＡＣＨはＲ−ＳＣＨのスケジューリング情報を送信するために使用されてよい。結果としてスケジューリング情報は、Ｒ−ＳＣＨの送信に対するチャネル状態が変化する前に非常に素早く移動局によってＦ−ＣＡＣＨの上で受信されてよい。受信機２００はスケジュール情報を引き出すために受信したＦ−ＣＡＣＨを復号するために動作してよい。送信機はスケジューリング情報に従ってＲ−ＳＣＨを送信する。
【００１７】
図３は逆及び順リンクの信号を送信するための送信機３００のブロック図を示す。送信のためのチャネルデータは変調のための変調器３０１への入力である。変調はＱＡＭ、ＰＳＫ又はＢＰＳＫのような一般に知られている変調技術のいずれに従ってもよい。データは変調器３０１でデータ速度で符号化される。データ速度はデータ速度及び電力レベルセレクター３０３によって選択されてよい。それぞれのチャネルのデータはまたウォルシュ関数がかけられる。それぞれのチャネルはウォルシュ関数が割り当てられてよい。データ速度の選択は、受信するあて先から受信したフィードバック情報に基づいてよい。フィードバック情報は許容される最大のデータ速度を含んでよい。許容される最大のデータ速度は様々な一般に知られたアルゴリズムに従って決定されてよい。許容される最大のデータ速度は、他に考えられる要因のなかで、大変しばしばチャネル状態に基づいている。データ速度及び電力レベルセレクター３０３はそれに応じて変調器３０１でデータ速度を選択する。変調器３０１の出力は信号拡散操作を経て、アンテナ３０４からの送信のためにブロック３０２で増幅される。データ速度及び電力レベルセレクター３０３はまたフィードバック情報に従って送信された信号の増幅レベルに対する電力レベルを選択する。選択されたデータ速度と電力レベルの組合せは受信するあて先での送信されたデータの適切な復号を可能にする。パイロット信号はまたブロック３０７で生成される。パイロット信号はブロック３０７で適当なレベルに増幅される。パイロット信号の電力レベルは受信するあて先でのチャネル状態に従ってよい。パイロット信号は結合器３０８でチャネル信号と結合される。結合された信号は増幅器３０９で増幅され、アンテナ３０４から送信されてよい。アンテナ３０４は、アンテナアレイ及び多入力多出力構成を含んだ組合せのなかのどれであってもよい。送信機３００は移動局或いは基地局に組み込まれてよい。そのようなものとして、移動局の送信機３００は、スケジューリング情報に従ってＲ−ＳＣＨを送信する。送信機３００はＦ−ＣＡＣＨを送信するために基地局で用いられてもよい。
【００１８】
図４は、あて先との通信リンクを維持するため受信機２００及び送信機３００を組み込むための送受信機システム４００の一般的な図を描く。送受信機４００は移動局或いは基地局に組み込まれてよい。送受信機４００はスケジューリング情報の復号のためにＦ−ＣＡＣＨを受信するために用いられ、受信したスケジューリング情報に従ってＲ−ＳＣＨ上で送信してよい。送受信機４００はまた、Ｆ−ＣＡＣＨを送信するために基地局で用いられてよい。プロセッサ４０１は受信及び送信したデータを処理するために受信機２００及び送信機３００に接続されてよい。受信機２００及び送信機３００は別々に見えるのであるが、受信機２００及び送信機３００の様々な態様は共通であってよい。１つの態様では、受信機２００及び送信機３００は、共通の局部発振器とＲＦ／ＩＦの受信及び送信のための共通のアンテナシステムを共有してよい。送信機３００は入力４０５で送信のためのデータを受信する。送信データ処理ブロック４０３は送信チャネルでの送信のためのデータを準備する。プロセッサ４０１は、送信データ処理ブロック４０３を通して順リンクでの様々な移動局へのデータの送信をスケジュールしてよい。復号器２１４で復号された後、受信データは入力４０４でプロセッサ４０１に受信される。受信されたデータは、プロセッサ４０１の受信データ処理ブロック４０２で処理される。受信データの処理は、一般に受信したデータパケットにおけるエラーのチェックを含む。例えば、受信したデータパケットが受け入れられないレベルのエラーを有するならば、受信データ処理ブロック４０２は、送信データ処理ブロック４０３にデータパケットの再送のリクエストを作るための命令を送る。リクエストは、Ｒ−ＡＣＫＣＨの上のような送信チャネルの上を送信される。受信データ記憶ユニット４８０は受信したデータパケットを記憶するために利用されてよい。
【００１９】
プロセッサ４０１のさまざまな動作は１つまたは複数の処理装置の中にまとめられてよい。送受信機４００は移動局に組み込まれてよい。送受信機４００は他の装置に接続されていてよい。送受信機４００は装置の全体部分であってよい。装置は計算機であってよい或いは装置は計算機と類似の動作をする。装置はインターネットのようなデータネットワークに接続されてよい。基地局に送受信機４００を組み込む場合、複数の接続を通して基地局はインターネットのようなネットワークに接続されていてよい。
【００２０】
Ｒ−ＳＣＨの送信をスケジュールすることに対して、流れ図５００のさまざまなステップを示す図５を参照することによって、本発明の多様な態様がより明らかになるかもしれない。ステップ５０１で、基地局１０１及び１６０は通信システム１００の複数の移動局を移動局の複数個のグループへと分類してよい。分類は本発明の多様な態様に一致したやり方で実行してよい。例えば、基地局に登録するに際して、基地局は移動局をグループの１つに割り当てる。ステップ５０２で、移動局の複数のグループに対して、対応する数のＦ−ＣＡＣＨが割り当てられる。例えば、通信システム１００は三つのＦ−ＣＡＣＨを有してよい。それぞれのチャネルは移動局の１つのグループに割り当てられる。ステップ５０３で基地局は、本発明の多様な様態に従って、移動局のそれぞれのグループに対して対応する割り当てられたＦ−ＣＡＣＨ上でＲ−ＳＣＨのスケジューリング情報を送信する。
【００２１】
図６に言及すると、フローチャート６００は本発明の多様な様態に従ってＲ−ＳＣＨのスケジューリングを示す。ステップ６０１で、基地局は移動局に対してＲ−ＳＣＨ上での
送信のスケジューリングを決定してよい。ひとたび、移動局が良好な逆リンクのチャネル状態を示すと、基地局は逆リンクのチャネル状態が変わる前にＲ−ＳＣＨのスケジューリングについて移動局に非常に素早く知らせる必要がある。ステップ６０２で、基地局はＦ−ＣＡＣＨ上にスケジューリング情報を取り入れる。フローチャート５００に関連して記述されたさまざまなステップに従ってＦ−ＣＡＣＨが移動局に割り当てられる。ステップ６０３で、基地局は移動局にＦ−ＣＡＣＨ上でスケジューリング情報を送信する。ステップ６０４で、移動局は割り当てられたＦ−ＣＡＣＨ上でスケジューリング情報を受信する。移動局は受信したスケジューリング情報に基づいてＲ−ＳＣＨの送信をスケジュールする。ステップ６０６で移動局は、割り当てられたＦ−ＣＡＣＨの受信されたスケジューリング情報に従ってＲ−ＳＣＨ上で送信する。それ故、移動局はスケジュール情報を非常に素早く受信する、そして逆リンクに対するチャネル状態が大幅に変化する前に逆リンクの送信をスケジュールすることができる。
【００２２】
当業者は、ここで開示した実施形態と関連して説明されたさまざまな例示的な論理ブロック、モジュール、回路、そしてアルゴリズムステップは、電子的ハードウェア、コンピュータソフトウェア、或いは両者の組合せで実現されてよいことをさらに理解するだろう。ハードウェアとソフトウェアのこの交換性を明確に説明するために、さまざまな例示的な要素、ブロック、モジュール、回路、そしてステップが一般にそれらの機能性の観点から上で説明されてきた。そのような機能性がハードウェア或いはソフトウェアのどちらで実現されるかは、特定の応用や全体のシステムに課せられた設計の制約に依存する。技量ある職工は、それぞれの特定の応用に対して変化するやり方で記載された機能性を実現するだろう、しかしそのような実装の決定は本発明の範囲からの逸脱を生ずるものとして理解されるべきではない。
【００２３】
ここで開示した実施形態と関連して説明されたさまざまな例示的な論理ブロック、モジュール、回路は、汎用プロセッサー、ディジタルシグナルプロセッサ（ＤＳＰ）、特定用途向け集積回路（ＡＳＩＣ）、フィールドプログラマブルゲートアレイ（ＦＰＧＡ）または他のプログラム可能な論理デバイス、個別（ｄｉｓｃｒｅｔｅ）ゲート又はトランジスターロジック、個別ハードウェア要素、或いはここで説明された機能を実行するように設計されたこれらの任意の組合せで実現あるいは実行されてよい。汎用プロセッサはマイクロプロセッサであってよい、しかし代わりに、プロセッサは任意の一般のプロセッサ、コントローラ、マイクロコントローラ、或いは状態機械であってよい。プロセッサは、計算装置の組合せ、例えばＤＳＰとマイクロプロセッサの組合せ、複数のマイクロプロセッサ、ＤＳＰコアと結合した１つ又は複数のマイクロプロセッサ、或いは任意の他のそのような構成として実現されてもよい。
【００２４】
ここで開示した実施形態と関連して説明された方法或いはアルゴリズムのステップは、直接ハードウェアで、プロセッサで実行されるソフトウェアモジュールで、或いは組合せで具体化されてよい。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、或いは技術で知られている任意の他の形式の記憶媒体に存在してよい。例示的な記憶媒体はプロセッサと結合していて、プロセッサはその記憶媒体から情報を読んだり、情報を書き込んだりできる。代案では、記憶媒体はプロセッサに不可欠かもしれない。プロセッサと記憶媒体はＡＳＩＣの中に存在してよい。ＡＳＩＣはユーザ端末に存在してよい。代案では、プロセッサと記憶媒体はユーザ端末の個別部品として存在してよい。
【００２５】
好ましい実施形態の先の説明は、どの当業者でも本発明を作製又は使用できるように提供される。これらの実施形態のさまざまな修正は当業者にとってただちに明らかになるだろう、そしてここで定義された一般的な原理は発明の能力を使用せずに他の実施形態に適用されるだろう。従って、本発明はここで示された実施形態に制限されることは意図されておらず、ここで明らかににされた原理と新規な特徴と矛盾しない最も広い範囲が与えられるべきである。
【図面の簡単な説明】
【００２６】
【図１】本発明の多様な実施形態に従って動作が可能な通信システムを示す。
【図２】本発明の実施態様に従ってデータの受信されるパケットを受信して復号するための通信システムの受信機を示す。
【図３】本発明の多様な実施形態に従ってデータパケットを送信するための通信システムの送信機を示す。
【図４】本発明の多様な実施形態に従って動作が可能な送受信機システムを示す。
【図５】本発明の多様な実施形態に従って通信システムの移動局のグループのそれぞれの移動局に対する逆リンクの付加チャネルのスケジューリング情報を送信するためのさまざまなステップを示す。
【図６】本発明の多様な実施形態に従って移動局に対する逆リンクの付加チャネルのスケジューリング情報を送信するためのさまざまなステップを示す。
【符号の説明】
【００２７】
１００…通信システム、    １０６、１６１…順リンク信号、
１０７〜１０９…逆リンク信号、１５０〜１５４…時間スロット、  ２００…受信機、  ２９２…アンテナシステム、  ３００…送信機、  ３０８…結合器、  ３０９…増幅器、  ４００…送受信機、  ４０１…プロセッサ、  ４０４、４０５…入力、
５００、６００…フローチャート
【図１】
2005512370.tif 000003
【図２】
2005512370.tif 000004
【図３】
2005512370.tif 000005
【図４】
2005512370.tif 000006
【図５】
2005512370.tif 000007
【図６】
2005512370.tif 000008
【国際調査報告】
2005512370.tif 000009